(57)【要約】【課題】被写体の動き等によって被写体検出結果がずれた場合でも、表示される枠が変動することを防ぐ。【解決手段】複数の画素からなる撮像素子３と、撮像素子３により取得された画像信号のサイズを被写体検出用画像サイズに変換する第１のリサイズ手段６と、第１のリサイズ手段６によりリサイズされた被写体検出用画像から被写体情報を検出する被写体検出手段７と、撮像素子３により取得された画像信号のサイズを表示画像サイズに変換する第２のリサイズ手段１０と、被写体検出手段７により検出された被写体情報、第１のリサイズ手段６によりリサイズされた被写体検出用画像サイズ及び第２のリサイズ手段１０によりリサイズされた表示画像サイズに基づいて、表示画像に重畳する枠の情報を生成する被写体検出枠表示制御手段１１とを備える。【選択図】図１
2010193293.tif 000002
【特許請求の範囲】
【請求項１】
複数の画素からなる撮像素子と、
前記撮像素子により取得された画像信号のサイズを被写体検出用画像サイズに変換する第１のリサイズ手段と、
前記第１のリサイズ手段によりリサイズされた被写体検出用画像から被写体情報を検出する被写体検出手段と、
前記撮像素子により取得された画像信号のサイズを表示画像サイズに変換する第２のリサイズ手段と、
前記被写体検出手段により検出された被写体情報、前記第１のリサイズ手段によりリサイズされた被写体検出用画像サイズ及び前記第２のリサイズ手段によりリサイズされた表示画像サイズに基づいて、前記表示画像に重畳する枠の情報を生成する被写体検出枠制御手段とを備えたことを特徴とする撮像装置。
【請求項２】
前記被写体検出枠制御手段は、前記表示画像サイズの前記被写体検出用画像サイズに対する比に基づいて、前記枠の幅を設定することを特徴とする請求項１に記載の撮像装置。
【請求項３】
前記被写体検出枠制御手段は、前記比が大きい場合は枠の幅を太くすることを特徴とする請求項２に記載の撮像装置。
【請求項４】
前記第２のリサイズ手段に電子ズーム倍率を与える電子ズーム制御手段を備え、
前記被写体検出枠制御手段は、更に前記電子ズーム制御手段からの電子ズーム倍率に基づいて、前記表示画像に重畳する枠の情報を生成することを特徴とする請求項１乃至３のいずれか１項に記載の撮像装置。
【請求項５】
前記被写体検出手段は、前記被写体検出用画像から被写体の位置データ及びサイズデータを前記被写体情報として検出し、
被写体検出枠制御手段は、更新された前記被写体の位置データ及びサイズデータが、前記表示画像に重畳されている枠を超えていない場合には、前記枠の更新を行わないことを特徴とする請求項１乃至４のいずれか１項に記載の撮像装置。
【請求項６】
複数の画素からなる撮像素子を備えた撮像装置の制御方法であって、
前記撮像素子により取得された画像信号のサイズを被写体検出用画像サイズに変換するステップと、
前記被写体検出用画像から被写体情報を検出するステップと、
前記撮像素子により取得された画像信号のサイズを表示画像サイズに変換するステップと、
前記検出された被写体情報、前記被写体検出用画像サイズ及び前記表示画像サイズに基づいて、前記表示画像に重畳する枠の情報を生成するステップとを有することを特徴とする撮像装置の制御方法。
【請求項７】
複数の画素からなる撮像素子を備えた撮像装置を制御するためのプログラムであって、
前記撮像素子により取得された画像信号のサイズを被写体検出用画像サイズに変換する処理と、
前記被写体検出用画像から被写体情報を検出する処理と、
前記撮像素子により取得された画像信号のサイズを表示画像サイズに変換する処理と、
前記検出された被写体情報、前記被写体検出用画像サイズ及び前記表示画像サイズに基づいて、前記表示画像に重畳する枠の情報を生成する処理とをコンピュータに実行させるためのプログラム。
【発明の詳細な説明】
【技術分野】
【０００１】
本発明は、被写体検出を行うビデオカメラ等の撮像装置、その制御方法及びプログラムに関する。
【背景技術】
【０００２】
近年、撮像装置においては、人間の顔等の特定の被写体の位置や大きさを画像認識アルゴリズムにより検出する技術が実用化されており、例えばＡＦ（オートフォーカス）制御に利用されている。すなわち、特定の被写体の位置、大きさに合わせた測距枠を設定し、ＡＦ用の評価値を生成してＡＦ制御を行えば、その特定の被写体に注目したフォーカス制御が可能となる。
【０００３】
同時に、現在検出されている特定の被写体がどのようになっているかを、液晶モニタに表示する画像に枠を重畳させることで、ユーザに特定の被写体が検出された旨を報知し、検出されている特定の被写体を認識させることも行われている（例えば特許文献１）。
【先行技術文献】
【特許文献】
【０００４】
【特許文献１】特開２００３−１０７３３５号公報
【発明の概要】
【発明が解決しようとする課題】
【０００５】
従来の撮像装置では、被写体検出を行う画像のサイズと、液晶モニタに表示する画像のサイズとが異なることが多い。そのため、被写体検出の結果をそのまま用いて表示画像に枠を重畳してしまうと、枠のサイズが合わないことになる。そこで、被写体検出の結果を表示画像のサイズに合わせて変換し、枠を重畳することが行われている。
【０００６】
ところが、枠のサイズを表示画像のサイズに合わせて変換して枠を重畳すると、被写体検出の結果がわずかにずれた場合に、そのずれが被写体検出用画像のサイズと表示画像のサイズとの比だけ倍増されて重畳されることになる。
【０００７】
図９は、被写体検出の結果のずれが倍増される様子を示している。図９（ａ）は、２８×２８のセンサ上の画素サイズの画像で、黒で塗りつぶされているところに被写体がある図である。
【０００８】
また、図９（ｂ）は、図９（ａ）の画像を被写体検出用に１／３に縮小し、被写体検出した結果を示す図である。Ｈｐ、Ｖｐは被写体の水平、垂直の位置データであり、Ｈｗ、Ｖｗは被写体の水平、垂直のサイズデータである。
【０００９】
また、図９（ｃ）は、図９（ａ）の画像を表示画像用に１／２に縮小し、リサイズした枠を重畳した結果を示す図である。枠のリサイズは、例えば下式（１）〜（４）に示す演算を用いて算出される。
【００１０】
【数１】
2010193293.tif 000003
【００１１】
Ｈｐ'、Ｖｐ'はリサイズ後の枠の水平、垂直の位置データであり、Ｈｗ'、Ｖｗ'はリサイズ後の枠の水平、垂直のサイズデータである。また、Ｈ１、Ｖ１は被写体検出用画像の水平、垂直の画像サイズであり、Ｈ２、Ｖ２は表示画像の水平、垂直の画像サイズを示す。図中では、Ｈｐ'、Ｖｐ'演算時に発生した小数点以下の値は切り捨て、Ｈｗ'、Ｖｗ'演算時に発生した小数点以下の値は切り上げて示してある。
【００１２】
一方で、図９（ｄ）は、２８×２８のセンサ上の画素サイズの画像で、黒で塗りつぶされているところに被写体がある図であり、図９（ａ）に対して１フレーム後の画像で、被写体の動き等によって被写体が左へ１画素移動している。
【００１３】
また、図９（ｅ）は、図９（ｄ）の画像を被写体検出用に１／３に縮小し、被写体検出した結果を示す図である。Ｈｐ、Ｖｐは被写体の水平、垂直の位置データであり、Ｈｗ、Ｖｗは被写体の水平、垂直のサイズデータである。
【００１４】
また、図９（ｆ）は、図９（ａ）の画像を表示画像用に１／２に縮小し、リサイズした枠を重畳した結果を示す図である。
【００１５】
ここで、図９（ａ）、（ｂ）、（ｃ）と、図９（ｄ）、（ｅ）、（ｆ）とを比較すると、センサ上の画像（（ａ）と（ｄ））において、被写体が移動したために、被写体検出の結果（（ｂ）と（ｅ））に差分が生じている。その結果、表示画像に重畳する枠の位置及びサイズのずれが倍増され（（ｃ）と（ｆ））、連続した画像とするとフレームごとに枠が変動してしまうという問題があった。特に、表示画像サイズの被写体検出用画像サイズに対する比が大きい場合は、表示画像に重畳する枠の位置及びサイズが大きく変化するために、フレームごとに枠が大きく変動してしまうという問題があった。
【００１６】
本発明は以上のような状況に鑑みてなされたものであり、被写体の動き等によって被写体検出結果がずれた場合でも、表示される枠が変動することを防ぐことを目的とする。
【課題を解決するための手段】
【００１７】
本発明の撮像装置は、複数の画素からなる撮像素子と、前記撮像素子により取得された画像信号のサイズを被写体検出用画像サイズに変換する第１のリサイズ手段と、前記第１のリサイズ手段によりリサイズされた被写体検出用画像から被写体情報を検出する被写体検出手段と、前記撮像素子により取得された画像信号のサイズを表示画像サイズに変換する第２のリサイズ手段と、前記被写体検出手段により検出された被写体情報、前記第１のリサイズ手段によりリサイズされた被写体検出用画像サイズ及び前記第２のリサイズ手段によりリサイズされた表示画像サイズに基づいて、前記表示画像に重畳する枠の情報を生成する被写体検出枠制御手段とを備えたことを特徴とする。
本発明の撮像装置の制御方法は、複数の画素からなる撮像素子を備えた撮像装置の制御方法であって、前記撮像素子により取得された画像信号のサイズを被写体検出用画像サイズに変換するステップと、前記被写体検出用画像から被写体情報を検出するステップと、前記撮像素子により取得された画像信号のサイズを表示画像サイズに変換するステップと、前記検出された被写体情報、前記被写体検出用画像サイズ及び前記表示画像サイズに基づいて、前記表示画像に重畳する枠の情報を生成するステップとを有することを特徴とする。
本発明のプログラムは、複数の画素からなる撮像素子を備えた撮像装置を制御するためのプログラムであって、前記撮像素子により取得された画像信号のサイズを被写体検出用画像サイズに変換する処理と、前記被写体検出用画像から被写体情報を検出する処理と、前記撮像素子により取得された画像信号のサイズを表示画像サイズに変換する処理と、前記検出された被写体情報、前記被写体検出用画像サイズ及び前記表示画像サイズに基づいて、前記表示画像に重畳する枠の情報を生成する処理とをコンピュータに実行させる。
【発明の効果】
【００１８】
本発明によれば、被写体の動き等によって被写体検出結果がずれた場合でも、表示される枠が変動することを防ぐことができる。
【図面の簡単な説明】
【００１９】
【図１】第１の実施形態に係る撮像装置の構成例を示すブロック図である。
【図２】第１の実施形態における被写体検出枠表示制御手段の構成例を示すブロック図である。
【図３】第１の実施形態の効果を説明するための図である。
【図４】第１の実施形態における被写体検出枠表示制御手段の制御動作を表すフローチャートである。
【図５】第２の実施形態に係る撮像装置の構成例を示すブロック図である。
【図６】第１の実施形態における被写体検出枠表示制御手段の構成例を示すブロック図である。
【図７】第１の実施形態における被写体検出枠表示制御手段の制御動作を表すフローチャートである。
【図８】電子ズーム倍率とα、βとの特性例を示す特性図である。
【図９】被写体検出結果のずれが倍増される様子を示す図である。
【発明を実施するための形態】
【００２０】
以下、添付図面を参照して、本発明の好適な実施形態について説明する。
（第１の実施形態）
図１は、本発明を適用した実施形態に係る撮像装置の構成例を示すブロック図である。図１において、１はレンズ、２はレンズ１を駆動するレンズ駆動手段である。３は複数の画素からなる撮像素子、４は撮像素子３を駆動する撮像素子駆動手段である。５はＣＤＳ回路及びＡ／Ｄ変換器を含むアナログフロントエンド部（ＡＦＥと称する）である。
【００２１】
７は被写体検出手段である。６は第１のリサイズ手段であり、撮像素子３により取得されＡＦＥ５から出力される画像信号を被写体検出手段７で使用する被写体検出用画像のサイズに変換する。８はＡＦ評価値生成手段であり、ＡＦＥ５からの画像信号と被写体検出手段７からの被写体検出情報とに基づいてＡＦ評価値を生成する。
【００２２】
９はカメラ信号処理手段である。１０は第２のリサイズ手段であり、撮像素子３により取得されカメラ信号処理手段９から出力される画像信号を表示装置１６に表示する画像のサイズに変換する。
【００２３】
１１は本発明でいう被写体検出枠制御手段として機能する被写体検出枠表示制御手段である。１２は画像重畳手段であり、第２のリサイズ手段１０からの画像信号に、被写体検出枠表示制御手段１１からの枠を重畳する。１４は撮像装置から取り外し可能な画像記録媒体である。１３は記録処理手段であり、フレーム間予測符号化処理された画像信号を記録媒体１４に記録する。
【００２４】
１６はカメラ信号処理された画像信号を表示する表示装置である。１５は表示装置１６に画像を表示する表示処理手段である。１７はバスである。１８は撮像装置全体を制御するシステム制御部である。
【００２５】
上述のように構成された撮像装置での撮影動作について説明する。まず、レンズ１はシステム制御部１８により制御されるレンズ駆動手段２からの駆動パルスで駆動され、被写体像を撮像素子３上に結像させる。撮像素子３は、システム制御部１８により制御される撮像素子駆動手段４からの駆動パルスによって撮像を行う。
【００２６】
撮像素子３から出力されたアナログの画像信号は、ＡＦＥ５内部のＣＤＳ回路でクロック同期性ノイズが除去され、ＡＦＥ５内部のＡ／Ｄ変換器でデジタル画像信号に変換される。ＡＦＥ５からのデジタル画像信号は、カメラ信号処理手段９で輝度色差の画像信号に変換される。
【００２７】
また、ＡＦＥ５からのデジタル画像信号は第１のリサイズ手段６により、被写体検出手段７での被写体検出に適したサイズの画像信号に変換される。被写体検出手段７は、第１のリサイズ手段６で変換された画像信号から被写体を検出し、その被写体検出情報として被写体の位置データ及び被写体のサイズデータをＡＦ評価値生成手段８、また、バス１７を経由してシステム制御部１８へ出力する。ＡＦ評価値生成手段８は、被写体検出手段７からの被写体検出情報とＡＦＥ５からの画像信号を用いてＡＦ評価値を生成する。
【００２８】
第２のリサイズ手段１０は、カメラ信号処理手段９からの画像信号を表示画像サイズに変換して画像重畳手段１２へ出力するとともに、記録用の画像サイズに変換し、記録処理手段１３へ出力する。
【００２９】
被写体検出枠表示制御手段１１は、被写体検出手段７により検出された被写体情報と、表示画像サイズの被写体検出用画像サイズに対する比（以下、「サイズ比」と称する）から表示画像に重畳する枠の情報として、枠の位置データ、枠のサイズデータ及び枠の幅データを算出する。
【００３０】
画像重畳手段１２は、第２のリサイズ手段１０からの画像信号に被写体検出枠表示制御手段１１からの枠情報に基づいた枠を重畳する。
【００３１】
表示処理手段１５は、画像重畳手段１２からの画像信号を表示装置１６に適した信号（例えばＮＴＳＣ方式のアナログ信号等）に変換して表示装置１６に表示する。記録処理手段１３は、カメラ信号処理手段９からの画像信号を圧縮符号化し、記録媒体１４に適したデータ（例えば階層構造を持つファイルシステムデータ）に変換して記録媒体１４に記録する。
【００３２】
システム制御部１８は、レンズ駆動手段２、撮像素子駆動手段４、カメラ信号処理手段９、記録処理手段１３、表示処理手段１５を制御する。
【００３３】
次に、図２を参照して、被写体検出枠表示制御手段１１の構成について説明する。１０１は枠リサイズ手段であり、システム制御部１８からのサイズ比を用いて、表示画像に重畳する枠の位置及びサイズを、例えば上述した式（１）〜（４）に示す演算を用いて算出する。
【００３４】
１０２は枠幅算出手段であり、システム制御部１８からのサイズ比に応じて枠の幅を算出し、画像重畳手段１２へ出力する。
【００３５】
ここで、例えば、表示画像サイズと被写体検出用画像サイズとの比が１０：１である場合、被写体検出結果が１画素ずれると、枠のリサイズ結果は１０画素ずれることとなる。一方で、表示画像サイズと被写体検出用画像サイズとの比が１：１０である場合は、被写体検出結果が１画素ずれても、枠のリサイズ結果は０．１画素しかずれないこととなる。そこで、枠幅算出手段１０２は、例えば下式（５）、（６）に示す演算を用いて枠の幅を設定する。
【００３６】
【数２】
2010193293.tif 000004
【００３７】
ここで、Ｗｈ、Ｗｖはそれぞれ表示する枠の水平、垂直の幅であり、Ｈ１、Ｖ１は被写体検出用画像の水平、垂直の画像サイズであり、Ｈ２、Ｖ２は表示画像の水平、垂直の画像サイズを示す。また、αとβは変動を許容する画素数を表し、例えば、被写体検出結果のずれを１画素許容する場合には、α＝１を設定することで、被写体検出結果のずれを１画素許容する枠の幅が設定される。
【００３８】
図３は、式（５）、（６）に示す演算を用いて枠の幅を設定している様子を示す。図３（ａ）、（ｂ）、（ｄ）、（ｅ）は図９（ａ）、（ｂ）、（ｄ）、（ｅ）と同じであり、図３（ｃ）及び（ｆ）に示すように、図９の（ｃ）及び（ｆ）に対して、枠の幅を２画素として重畳している。
【００３９】
このように、表示画像サイズの被写体検出用画像サイズに対する比に応じて枠の幅を設定することで枠の細かな変動が発生しない。すなわち、表示画像サイズが被写体検出用画像サイズに比べて大きくなるに従って枠の幅を太くする制御を行うことによって、枠の細かな変動を吸収することができる。
【００４０】
次に、図４のフローチャートを参照して、被写体検出枠表示制御手段１１の制御動作について説明する。まず、ステップＳ１０１において、被写体検出手段７から被写体検出結果として位置データ及びサイズデータを取得し、ステップＳ１０２へ進む。次にステップＳ１０２において、例えば上式（１）〜（４）に示す演算を用いて表示する枠の位置データ及びサイズデータの算出を行う。
【００４１】
次にステップＳ１０３において、現在表示している枠の幅と、ステップＳ１０２で算出された枠の位置データ及びサイズデータの比較を行い、ステップＳ１０４へ進む。ステップＳ１０４において、現在表示している枠の幅と、ステップＳ１０２で算出された枠の位置データ及びサイズデータとを比較する。その比較の結果、ステップＳ１０２で算出された枠の位置データ及びサイズデータが、現在表示している枠の幅を超えている場合はステップＳ１０５へ進み、超えていない場合はステップＳ１０８へ進み、枠の更新を行わない。
【００４２】
ステップＳ１０５において、ステップＳ１０２で算出した枠の位置データ及びサイズデータに小数以下の切捨て等の処理を加えることで表示画像の画素位置に合致するように処理し、ステップＳ１０６へ進む。次にステップＳ１０６において、例えば上述した式（５）、（６）に示す演算を用いて枠の幅を算出する。
【００４３】
次にステップＳ１０７において、ステップＳ１０５、Ｓ１０６で算出した枠の位置、サイズ、幅を画像重畳手段１２へ出力し、枠を更新する。
【００４４】
以上説明したように、枠に幅を持たせることによって、被写体の動き等の要因によって被写体検出結果がずれた場合でも、画像ごとに枠が変動することを防ぐことができる。
【００４５】
（第２の実施形態）
次に、第２の実施形態について説明する。第２の実施形態に係る撮像装置では、図５に示すように、電子ズーム制御手段１９を備えている。なお、電子ズーム制御手段１９以外の構成は第１の実施形態と略同様であり、同様の構成には同一番号を付し、その詳細な説明は省略する。
【００４６】
第２のリサイズ手段１０は、カメラ信号処理手段９からの画像信号を表示画像サイズ及び記録用の画像サイズに変換し、電子ズーム制御手段１９からの電子ズーム倍率情報に応じて電子ズーム処理を施して画像重畳手段１２及び記録処理手段１３へ出力する。
【００４７】
次に、図６を参照して、被写体検出枠表示制御手段１１の構成について説明する。１０３は枠リサイズ手段であり、システム制御部１８からのサイズ比と電子ズーム倍率を用いて、表示画像に重畳する枠の位置及びサイズを、例えば下式（７）〜（１０）に示す演算を用いて算出する。
【００４８】
【数３】
2010193293.tif 000005
【００４９】
１０４は枠幅算出手段であり、システム制御部１８からのサイズ比と電子ズーム倍率に応じて枠の幅を算出し、画像重畳手段１２へ出力する。
【００５０】
ここで、例えば、表示画像サイズと被写体検出用画像サイズとの比が１０：１であり、電子ズームの倍率が２倍である場合、被写体検出結果が１画素ずれると、枠のリサイズ結果は２０画素ずれることとなる。一方で、表示画像サイズと被写体検出用画像サイズとの比が１：１０であり、電子ズームの倍率が２倍である場合は、被写体検出結果が１画素ずれても、枠のリサイズ結果は０．０５画素しかずれないこととなる。そこで、枠幅算出手段１０４は、例えば下式（１１）、（１２）に示す演算を用いて枠の幅を設定する。
【００５１】
【数４】
2010193293.tif 000006
【００５２】
ここで、Ｗｈ'、Ｗｖ'はそれぞれ電子ズーム倍率を考慮して表示する枠の水平、垂直の幅であり、Ｈ１、Ｖ１は被写体検出用画像の水平、垂直の画像サイズであり、Ｈ２、Ｖ２は表示画像の水平、垂直の画像サイズを示す。また、αとβは変動を許容する画素数を表す。すなわち、表示画像サイズが被写体検出用画像サイズに比べて大きくなるのに加えて、電子ズーム倍率が大きくなるに従って枠の幅を太くする制御を行うことによって、枠の細かな変動を吸収することができる。
【００５３】
次に、図７のフローチャートを参照して、被写体検出枠表示制御手段１１の制御動作について説明する。まず、ステップＳ２０１において、被写体検出手段７から被写体検出結果として位置データ及びサイズデータを取得し、ステップＳ２０２へ進む。次にステップＳ２０２において、電子ズーム制御手段１９より電子ズーム倍率を取得し、ステップＳ２０３へ進む。次にステップＳ２０３において、例えば上式（７）〜（１０）に示す演算を用いて表示する枠の位置データ及びサイズデータの算出を行う。
【００５４】
次にステップＳ２０４において、現在表示している枠の幅と、ステップＳ２０３で算出された枠の位置データ及びサイズデータの比較を行い、ステップＳ２０５へ進む。ステップＳ２０５において、現在表示している枠の幅と、ステップＳ２０３で算出された枠の位置データ及びサイズデータとを比較する。その比較の結果、ステップＳ２０３で算出された枠の位置データ及びサイズデータが、現在表示している枠の幅を超えている場合はステップＳ２０６へ進み、超えていない場合はステップＳ２０９へ進み、枠の更新を行わない。
【００５５】
ステップＳ２０６において、ステップＳ２０３で算出した枠の位置データ及びサイズデータに小数以下の切捨て等の処理を加えることで表示画像の画素位置に合致するように処理し、ステップＳ２０７へ進む。次にステップＳ２０７において、例えば上述した式（１１）、（１２）に示す演算を用いて枠の幅を算出する。
【００５６】
次にステップＳ２０８において、ステップＳ２０６、Ｓ２０７で算出した枠の位置、サイズ、幅を画像重畳手段１２へ出力し、枠を更新する。
【００５７】
なお、本実施形態では、表示画像また記録用の画像に対してのみ電子ズーム処理を加え、被写体検出用画像には電子ズーム処理を加えない構成について説明をしたが、被写体検出用画像にも電子ズーム処理を加えるようにしてもよい。その場合、上述した式（１１）、（１２）のように電子ズーム倍率を考慮するのではなく、上述した式（５）、（６）において、α、βを例えば図８に示す特性線のように制御することによって同様の効果を得ることができる。
【００５８】
以上説明したように、更に電子ズームの倍率に応じて枠の幅を制御することにより、被写体の動き等の要因による被写体検出結果のずれが電子ズームの倍率分だけ大きくなった場合でも、画像ごとに枠が細かく変動することを防ぐことができる。
【００５９】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００６０】
この場合、記憶媒体から読み出されたプログラムコード自体が上述した実施形態の機能を実現することになり、プログラムコード自体及びそのプログラムコードを記憶した記憶媒体は本発明を構成することになる。
【００６１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６２】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００６３】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【符号の説明】
【００６４】
１‥‥レンズ
２‥‥レンズ駆動手段
３‥‥撮像素子
４‥‥撮像素子駆動手段
５‥‥ＡＦＥ
６‥‥第１のリサイズ手段
７‥‥被写体検出手段
８‥‥ＡＦ評価値生成手段
９‥‥カメラ信号処理手段
１０‥‥第２のリサイズ手段
１１‥‥被写体検出表示制御手段
１２‥‥画像重畳手段
１３‥‥記録処理手段
１４‥‥記録媒体
１５‥‥表示処理手段
１６‥‥表示装置
１７‥‥バス
１８‥‥システム制御部
１９‥‥電子ズーム制御手段
【図１】
2010193293.tif 000007
【図２】
2010193293.tif 000008
【図３】
2010193293.tif 000009
【図４】
2010193293.tif 000010
【図５】
2010193293.tif 000011
【図６】
2010193293.tif 000012
【図７】
2010193293.tif 000013
【図８】
2010193293.tif 000014
【図９】
2010193293.tif 000015